(57)【要約】【課題】ＲＬＣ層による再送を行う場合に、ＰＤＵヘッダの増大を抑え、無線伝送環境の変化に適応可能なシンプルなレイヤ２プロトコルを提供する。【解決手段】無線通信方法は、ＲＬＣ層で送信すべき単位データブロックについて、当該単位データブロックが前記ＲＬＣ層での初回送信であるか、再送であるかを判断し、再送である場合に、初回送信時に設定されている伝送タイムインターバル長で、当該単位データブロックを再送可能かどうかを判断する。初回送信時の伝送タイムインターバルでの再送が困難であると判断された場合は、伝送タイムインターバルを、初回送信時の伝送タイムインターバルよりも長く設定するように、下りリンクおよび／または上りリンクの伝送タイムインターバル長を決定する。【選択図】図３
2007300509.tif 000002
【特許請求の範囲】
【請求項１】
ＲＬＣ層で送信すべき単位データブロックについて、当該単位データブロックが前記ＲＬＣ層での初回送信であるか、再送であるかを判断するステップと、
再送であると判断された場合に、初回送信時に設定されている伝送タイムインターバル長で、当該単位データブロックを再送可能かどうか判断するステップと、
前記初回送信時の伝送タイムインターバルでの再送が困難であると判断された場合に、前記伝送タイムインターバルを、初回送信時の伝送タイムインターバルよりも長く設定するように、下りリンクおよび／または上りリンクの伝送タイムインターバル長を決定するステップと
を含むことを特徴とする無線通信方法。
【請求項２】
前記初回送信時の伝送タイムインターバルで再送可能と判断された場合に、初回送信時と同じ伝送タイムインターバル長で、前記単位データブロックを再送するステップ
をさらに含むことを特徴とする請求項１に記載の無線通信方法。
【請求項３】
前記単位データブロックが前記ＲＬＣ層での初回送信であると判断された場合に、チャネル品質情報に基づいて初回送信用の伝送タイムインターバルを決定するステップ、
をさらに含むことを特徴とする請求項１に記載の無線通信方法。
【請求項４】
前記単位データブロックが前記ＲＬＣ層での初回送信であると判断された場合に、あらかじめ決定されている初回送信用の伝送タイムインターバルに設定するステップ、
をさらに含むことを特徴とする請求項１に記載の無線通信方法。
【請求項５】
ＲＬＣ層で送信すべき単位データブロックについて、当該単位データブロックが前記ＲＬＣ層での初回送信であるか、再送であるかを判断し、再送である場合に、初回送信時に設定されている伝送タイムインターバル長で、当該単位データブロックを再送可能かどうか判断する判断部と、
前記初回送信時の伝送タイムインターバルでは再送が困難であると判断された場合に、前記伝送タイムインターバルを、初回送信時の伝送タイムインターバルよりも長く設定するように、下りリンクおよび／または上りリンクの伝送タイムインターバル長を決定するＴＴＩ長決定部と、
前記決定されたＴＴＩ長で、前記単位データブロックを送信する送信部と
を備えることを特徴とする無線通信装置。
【請求項６】
前記判断部の判断結果が、前記単位データブロックを記初回送信時の伝送タイムインターバルで再送可能である場合に、
前記ＴＴＩ長決定部は、初回送信時と同じ伝送タイムインターバル長を維持し、
前記送信部は、当該初回送信時の伝送タイムインターバル長で、前記単位データブロックを再送信する
ことを特徴とする請求項５に記載の無線通信装置。
【請求項７】
前記判断部の判断結果が初回送信である場合に、
前記ＴＴＩ長決定部は、チャネル品質情報に基づいて、初回送信用の伝送タイムインターバルを決定する
ことを特徴とする請求項５に記載の無線通信装置。
【請求項８】
前記判断部の判断結果が初回送信である場合に、
前記ＴＴＩ長決定部は、あらかじめ決定されている初回送信用の伝送タイムインターバルに設定する
ことを特徴とする請求項５に記載の無線通信装置。
【発明の詳細な説明】
【技術分野】
【０００１】
本発明は、広くは無線通信技術に関し、特に、無線リンク制御（ＲＬＣ：Radio Link Control）層での再送時のオーバヘッドの低減に関する。
【背景技術】
【０００２】
次世代の移動通信システムとして、通信速度の高速化が実現されつつあるが、高速化に加え、多くのユーザに対する安定した通信の提供も大きな課題とされている。
【０００３】
ＨＳＤＰＡ（High Speed Downlink Packet Access）では、伝送誤りを回復するための再送制御に、ハイブリッドＡＲＱを採用している。ハイブリッドＡＲＱとは、既存のＡＲＱ（Automatic Repeat Request：誤り検出・再送）機能に誤り訂正技術を加えた技術のことをいい、予め誤り訂正符号を送信することで誤り訂正を行い、パケット再送回数の低減を図っている。ハイブリッドＡＲＱではまた、再送信を物理層で直接実行して遅延を低減しているが、物理層で送りきれない場合に、ＲＬＣ層による再送を行って伝送の信頼性を高めている。
【０００４】
ＲＬＣ層とＭＡＣ（Media Access Control）層とから成るレイヤ２では、送信すべき情報を小さな固定サイズのプロトコルデータユニット（ＲＬＣ―ＰＤＵ、ＭＡＣ―ＰＤＣ）に分割している。パケットサイズが大きくなるほど、そのパケットが誤りとなる確率は高くなるので、パケットを小さなＰＤＵに分割して、誤り発生の確率を低減している。
【０００５】
一方、無線区間の状態に応じて、ＰＤＵサイズを可変にする手法も知られており、無線環境がよい状態では、ＲＬＣ−ＰＤＵやＭＡＣ−ＰＤＵのサイズを大きくし、無線状態の悪い場合にはＲＬＣ−ＰＤＵやＭＡＣ−ＰＤＵサイズを小さくする。
【０００６】
しかし、無線伝送環境は刻一刻と変化するため、初回送信時に決定されたＰＤＵサイズが再送時には大きすぎて、再送できない場合が生じ得る。この場合に、無線状態が回復するまで再送を控えると、遅延が増大して好ましくない。かといってそのまま再送しても、さらに再送が増えるだけである。
【０００７】
そこで、再送時に、一度の再送で遅れるサイズにＰＤＵを再分割する手法が提案されている（たとえば、非特許文献１参照）。この手法を、図１を参照して説明する。
【０００８】
図１に示すように、初回送信時のＲＬＣ−ＰＤＵサイズが２ｘに設定されているものとする。初回送信時の伝送環境では、点線で示すように、トランスポートチャネルに与えることのできるデータブロック（トランスポートブロックＴＢ）のサイズは２ｘであり、ＲＬＣ−ＰＤＵを送信することができる。ＰＤＵの送信は、伝送タイムインターバル（ＴＴＩ）の間に行われる。
【０００９】
このパケットが受信側で伝送エラーとして検出された場合は、一定時間（ＲＴＴ：Round Trip Time）後に、再送要求信号が送られてくる。しかし、時間の推移とともに伝送環境が劣化し、送信可能なトランスポートブロックのサイズが低減している場合は、そのままの状態で再送しても、さらに再送が増えるだけである。そこで、単位送信サイズであるＲＬＣ−ＰＤＵをさらに分割してサイズｘとして、再送の確実性を高めている。
【００１０】
なお、初回送信時のオーバヘッド低減の手法として、送信するパケットのサイズに応じて伝送タイムインターバル（ＴＴＩ）長を変える手法が提案されている（たとえば、非特許文献２参照）。
【非特許文献１】3GPP TSG-RAN2 Meeting #50, Sophia Antipolis, France, 09-13, January, 2006, Tdoc R2-060076
【非特許文献２】3GPP TSG-RAN WG2 #52, Athens, Greece, 27-31 March 2006,  R2-060944
【発明の開示】
【発明が解決しようとする課題】
【００１１】
しかし、上記非特許文献１の手法では、ＲＬＣ―ＰＤＵの再分割に伴って、複雑なヘッダ構成が必要になってくる。すなわち、オリジナル（初回）のＲＬＣ−ＰＤＵを再分割したことを示す識別子や、分割後のサイズインジケータのような付加的な情報が必要になり、このような付加情報を分割後のＲＬＣ−ＰＤＵまたはＭＡＣ−ＰＤＵのヘッダに挿入しなければならないからである。
【００１２】
そこで、本発明では、ＲＬＣ層での再送時に、ＲＬＣ―ＰＤＵヘッダやＭＡＣ−ＰＤＵヘッダの増加を抑えることができ、かつ無線伝送環境の変化に適応可能な、シンプルなレイヤ２プロトコルを提供することを課題とする。
【課題を解決するための手段】
【００１３】
上記課題を実現するために、ＲＬＣ−ＰＤＵが、無線伝送品質の劣化により初回送信と同じ伝送タイムインターバル（ＴＴＩ）長では、ＰＤＵ長を維持したまま再送を行うのが困難であると判断される場合に、ＲＬＣ−ＰＤＵの分割を行わずに、ＴＴＩ長を初回送信時に比べて長く設定するように、下りリンクおよび／または上りリンク共有チャネルのＴＴＩ長を決定する。
【００１４】
より具体的には、本発明のひとつの側面では、無線通信方法は、
（ａ）ＲＬＣ層で送信すべき単位データブロックについて、当該単位データブロックが前記ＲＬＣ層での初回送信であるか、再送であるかを判断するステップと、
（ｂ）再送であると判断された場合に、初回送信時に設定されている伝送タイムインターバル長で、当該単位データブロックを再送可能かどうか判断するステップと、
（ｃ）前記初回送信時の伝送タイムインターバルでの再送が困難であると判断された場合に、前記伝送タイムインターバルを、初回送信時の伝送タイムインターバルよりも長く設定するように、下りリンクおよび／または上りリンクの伝送タイムインターバル長を決定するステップと
を含む。
【００１５】
良好な実施例では、前記初回送信時の伝送タイムインターバルで再送可能と判断された場合に、初回送信時と同じ伝送タイムインターバル長で、前記単位データブロックを再送する。
【００１６】
また、前記単位データブロックが、前記ＲＬＣ層での初回送信であると判断された場合に、チャネル品質情報に基づいて初回送信用の伝送タイムインターバルを決定する。
【００１７】
あるいは、前記単位データブロックが、前記ＲＬＣ層での初回送信であると判断された場合に、あらかじめ決定されている初回送信用の伝送タイムインターバルに設定してもよい。
【発明の効果】
【００１８】
このような無線通信方法により、これにより再送頻度の増大やヘッダの増大を防止して、オーバヘッドを低減することができる。
【発明を実施するための最良の形態】
【００１９】
以下で、本発明の実施形態について図面を参照して説明する。
【００２０】
図２は、本発明の基本概念を説明するための図である。  図２において、初回送信時のオリジナルＲＬＣ−ＰＤＵサイズは２ｘに設定されているものとする。初回送信時の伝送環境では、上側の点線で示すように、トランスポートチャネルに与えることのできるデータブロック（トランスポートブロックＴＢ）のサイズは２ｘであり、ＲＬＣ−ＰＤＵを送信することができる。初回送信時の伝送タイムインターバル（ＴＴＩ）は、１サブフレームとし、この例では、１サブフレーム＝０．５ｍｓに設定されている。
【００２１】
このパケットが受信側で伝送エラーとして検出された場合は、一定時間（ＲＴＴ：Round Trip Time）後に、再送要求信号が送られてくる。しかし、時間の推移とともに伝送環境が劣化し、送信可能なトランスポートブロックのサイズは、下側の点線で示すように、サイズｘまで低下している。
【００２２】
そこで、サイズ２ｘのＲＬＣ−ＰＤＵを再送できるように、ＴＴＩ長を２倍の１ｍｓ（２サブフレーム）に変更する。これにより、複雑なヘッダ構成の変更を伴わずに、可変ＴＴＩ制御またはダイナミックＴＴＩ制御の範囲内で、良好な再送制御が可能になる。
【００２３】
図３は、無線通信装置のスケジューラが行う可変ＴＴＩ長の制御フローである。まず、ステップＳ１０１でＲＬＣ層の送信処理を開始する。次に、ステップＳ１０３で、各ＲＬＣ―ＰＤＵの送信タイミングを通知する。複数のサブキャリアを用いる場合は、割り当てられる周波数リソースも通知する。ステップＳ１０５で、ＲＬＣ層での初回送信パケットであるかどうかを判断する。初回送信パケットである場合は（Ｓ１０５でＹＥＳ）、ステップＳ１０７で初回送信用のＴＴＩ長を決定する。この場合、デフォルト的に初回送信のＴＴＩ長を、１サブフレームと設定しておいてもよいし、移動端末（ユーザ端末）の通信状態、たとえば、移動速度、セル内の位置、提供されるスループット、再送回数などに応じて、適切なＴＴＩ長に設定されてもよい。
ＲＬＣ層での初回送信でない場合、すなわち再送の場合は（Ｓ１０５でＮＯ）は、ステップＳ１１３で、現在のＴＴＩ長を維持したまま、ＲＬＣ−ＰＤＵを再送しきることができるかどうかを判断する。
初回送信時のＴＴＩ長が適用可能な場合（Ｓ１１３でＹＥＳ）は、同じＴＴＩ長を割り当てて、ＲＬＣ−ＰＤＵを再送信する。初回送信時のＴＴＩ長では送りきれない場合（Ｓ１１３でＮＯ）は、ステップＳ１１７で初回送信時よりも長いＴＴＩ長（たとえば２サブフレーム）を割り当てる。
ステップＳ１０７、Ｓ１１５、Ｓ１１７で適用すべきＴＴＩ長が決定されたならば、ステップＳ１０９でＲＬＣ−ＰＤＵを送信する。送信後、ステップＳ１０３へ戻って、次のＲＬＣ−ＰＤＵの処理を行う。
図４は、無線通信装置１０の概略構成図である。無線通信装置１０は、典型的には無線基地局に適用されるが、それ以外の無線通信装置に適用されてもよい。
【００２４】
無線通信装置１０は、受信部１１、ＲＬＣ層制御部１２、上位層データ受付部１３、無線リンク制御部１４、スケジューラ１５、ハイブリッドＡＲＱ制御部１６、スケジューリング情報生成部１７、送信部１８を有する。スケジューラ１５は、ＲＬＣ−ＰＤＵの送信が初回送信であるか、再送であるかを判断するＰＤＵ再送判断部２１と、判断結果に応じてＴＴＩ長を決定するＴＴＩ長決定部２２とを含む。
【００２５】
受信部１１は、移動端末から送られてくるチャネルを受信する。受信情報から、ＣＱＩ（チャネル品質）などの受信品質情が取り出されて、スケジューラ１５に供給される。また、受信情報から、ＲＬＣ層のための制御情報（たとえばステータスレポート）が取り出されてＲＬＣ層制御部１２に供給される。ＲＬＣ層制御部１２の制御に基づいて、無線リンク制御部１４は、送信すべきデータを所定のサイズのＲＬＣ−ＰＤＵに分割し、ＲＬＣ層での再送を制御する。
【００２６】
スケジューラ１５のＰＤＵ再送判断部２１は、図３の制御フローに従って、処理対象であるＲＬＣ−ＰＤＵが初回送信なのか、再送なのかを判断する。再送である場合は、現在のＴＴＩ長でこのＲＬＣ−ＰＤＵの再送を完了できるかどうかをさらに判断する。ＲＬＣ−ＰＤＵの再送完了が困難であると判断されると、ＴＴＩ長決定部２２は、ＴＴＩ長を長くする。また、初回送信であると判断された場合も、入力されるチャネル品質情報等に基づいて、初回送信のためのＴＴＩ長を適宜変えることもできる。すなわち、ＴＴＩ長決定部は、下りリンクおよび／または上りリンクの共有チャネルの初回送信時のＴＴＩ長を決定し、必要に応じてＴＴＩ長を変えるとともに、再送時のＴＴＩ長を現在の無線伝送環境に応じて適切な長さに調整する。
【００２７】
ハイブリッドＡＲＱ制御部１６は、ＲＬＣ−ＰＤＵから生成されるＭＡＣ−ＰＤＵの再送に必要な処理を行う。スケジューリング情報生成部１７は、スケジューラ１５で決定されたＴＴＩ長情報を含む下りスケジューリング情報を生成し、これを送信部１８に供給する。
【００２８】
送信部１８は、スケジューラ１５によるスケジューリング結果とハイブリッドＡＲＱ制御部１６の再送制御結果とに基づいて、送信データを順次送信する。
【００２９】
このような構成により、ＲＬＣ層による再送時に、無線伝送環境の劣化により単位データブロックが送れない状況になっても、ＴＴＩ長を適宜調整するので、単位データブロックを再分割することなく、ＲＬＣ層の再送を行うことができる。
【００３０】
これにより再送頻度の増大やヘッダの増大を防止し、オーバヘッドを低減することができる。
【図面の簡単な説明】
【００３１】
【図１】公知の再送時のＰＤＵ再分割方法を説明するための図である。
【図２】本発明の実施形態に係る再送時のＴＴＩ長制御を説明するための図である。
【図３】本発明の実施形態に係る可変ＴＴＩ長の制御フローを示す図である。
【図４】本発明の実施形態に係る無線通信装置の概略ブロック図である。
【符号の説明】
【００３２】
１０  無線通信装置（無線基地局）
１１  受信部
１２  ＲＬＣ層制御部
１３  上位層データ受付部
１４  無線リンク制御部
１５  スケジューラ
１６  ハイブリッドＡＲＱ制御部（再送制御部）
１７  スケジューリング情報生成部
１８  送信部
２１  ＰＤＵ再送判断部
２２  ＴＴＩ長決定部
【図１】
2007300509.tif 000003
【図２】
2007300509.tif 000004
【図３】
2007300509.tif 000005
【図４】
2007300509.tif 000006